(57)【要約】      （修正有）【課題】  縦長の掃除機本体の狭い上面に多くの操作機能をコンパクトにまとめて操作性を向上した縦型の掃除機を提供する。【解決手段】  縦型の電気掃除機であって、集塵室１２０の上部に回転軸１３１を上下方向とする姿勢のコードリール１３０を配置し、前記コードリール１３０の上部に、前記連結管３００を縦姿勢で収納する前記連結管取付部１５１と、握り部を前後方向とする本体ハンドル部１４０とを前後に配置し、前記本体ハンドル部１４０と連結管取付部との間に、前記連結管３００の固定機構部５００とその着脱ボタン５０１を配置し、前記本体ハンドル部１４０とコードリール１３０との間に前記連結管取付部１５１と集塵室１２０とを連通する連通管１８４を配置し、前記着脱ボタン５０１を挟んで電源ボタン１７１と前記塵埃ホース７０のホース連結部１８０とを左右に分けて配置させる。【選択図】  図１
2008080043.tif 000002
【特許請求の範囲】
【請求項１】
電動送風機と集塵室及びコードリールを備えた縦長の掃除機本体と、一端に吸引口を備えた連結管と、前記連結管の他の一端側に取り付けられる手元ハンドルと、前記手元ハンドルと前記掃除機本体とを連通する柔軟性のある塵埃ホースとを備え、前記吸引口から前記連結管と前記手元ハンドルと塵埃ホースとを経由して前記掃除機本体に吸引する電気掃除機であって、
集塵室の上部に回転軸を上下方向とする姿勢のコードリールを配置し、
前記コードリールの上部に、前記連結管を縦姿勢で収納する前記連結管取付部と、握り部を前後方向とする本体ハンドル部とを前後に配置し、
前記本体ハンドル部と連結管取付部との間に、前記連結管の固定機構部とその着脱ボタンを配置し、
前記本体ハンドル部とコードリールとの間に前記連結管取付部と集塵室とを連通する連通管を配置し、
前記着脱ボタンを挟んで電源ボタンと前記塵埃ホースのホース連結部とを左右に分けて配置した
ことを特徴とする電気掃除機。
【請求項２】
電動送風機と電源コードのコードリールと集塵室とを備えた縦長の掃除機本体と、この掃除機本体の下部に取り付けられる吸口体と、その一端を前記掃除機本体の上部に着脱可能に取り付けられる連結管と、前記連結管の他の一端側に取り付けられる手元ハンドルと、前記手元ハンドルと前記掃除機本体とを連通する柔軟性のある塵埃ホースとを備え、前記吸口体からの塵埃を含んだ空気の吸引と、前記連結管の前記一端から前記手元ハンドル及び塵埃ホースを経由した塵埃を含んだ空気の吸引とを可能とする電気掃除機であって、
前記掃除機本体は、最下部に配置した前記電動送風機と上部に配置した前記コ−ドリールとの間に前記集塵室を配置するとともに、この電動送風機と集塵室とコ−ドリールの後方に上下方向に配設された連通管を備え、
前記連通管は、その下端を前記吸口体と、その上端を前記連結管を着脱可能に収納する連結管取付部と、その中央部分を前記集塵室とそれぞれ接続され、
前記コードリールは、回転軸を上下方向とする横姿勢で配置され、
前記コードリールの上部には、前記連結管を縦姿勢で収納する前記連結管取付部と、握り部を前後方向とする本体ハンドル部とが前後に配置され、
更に、前記本体ハンドル部と連結管取付部との間には、前記連結管の固定機構部とその着脱ボタンとが配置され、
更に、前記本体ハンドル部とコードリールとの間に前記連結管取付部と連通管とを連通する上部連通管を配置し、
更に、前記着脱ボタンを挟んで電源ボタンと前記塵埃ホースのホース連結部とを左右に分けて配置した
ことを特徴とする電気掃除機。
【請求項３】
前記請求項１または２記載の電気掃除機において、
前記ホース連結部は、前記塵埃ホースの軸心を上下方向とする姿勢で、前記塵埃ホースを取り付ける
ことを特徴とする電気掃除機。
【発明の詳細な説明】
【技術分野】
【０００１】
本発明は、アップライトタイプやステイックタイプと呼ばれる縦型の電気掃除機に関するものである。
【背景技術】
【０００２】
従来より、アップライトタイプやステイックタイプと呼ばれる縦型電気掃除機が知られている。この縦型の電気掃除機は、電動送風機と集塵室とコードリールとが直列に配置される縦長の掃除機本体と、この掃除機本体の長手方向の一端側（底面）に取り付けられる吸口体と、他の一端側（上面）に取り付けられる棒状手元ハンドルとから構成される。これらの縦型掃除機は、吸口体に掃除機本体が支持されるので、前記棒状手元ハンドルを介して吸口体を床面に沿って移動させることで、床面の清掃を行うことができる。
【０００３】
これらの従来例の棒状手元ハンドルは、パイプの一端側に手元ハンドルが取り付けられ、他の一端側を掃除機本体に固定して、あるは伸縮可能に取り付けたものが一般的である。また、この棒状手元ハンドルは、掃除機本体に着脱可能に取り付けられるものであり、この着脱を可能とするために、掃除機本体の上面に設けた本体ハンドルの近傍に、前記着脱を可能にする着脱ボタンを設けている。
【０００４】
また、特異な従来例では、棒状手元ハンドルの一端側に固定手段を設け、この固定手段に伝達手段を介して着脱や伸縮動作をさせるトリガースイッチを棒状手元ハンドルの他の一端側の手元ハンドルに設け、手元ハンドルを握りながらトリガースイッチを操作することで、棒状手元ハンドルを掃除機本体に対して出没可能とするものがある。
【０００５】
また、近年では、棒状手元ハンドルのパイプを集塵通路とするものがある。この従来例は、棒状手元ハンドルを掃除機本体に取り付けた状態では、前記吸口体から集塵し、棒状手元ハンドルを掃除機本体から取り外した状態では、棒状手元ハンドルのパイプの先端から塵埃を吸い込むことができる、床清掃と隙間清掃の兼用型の縦型掃除機である。
【０００６】
【特許文献１】特開２０００−１６６８３５号公報
【特許文献２】特開２００５−２１１２７６号公報
【特許文献３】特開２００５−８７５０８号公報
【発明の開示】
【発明が解決しようとする課題】
【０００７】
前記従来例の兼用型の縦型掃除機は、床面を掃除する場合は、棒状手元ハンドルを掃除機本体に取り付けて使用することができ、この状態から棒状手元ハンドルを取り外して、棒状手元ハンドルのパイプの先端を任意の隙間に挿入して清掃することができるので、１台で清掃の多様化が図れて便利である。
【０００８】
しかしながら、これら従来型の兼用型の縦型掃除機は、縦姿勢の縦長の掃除機本体の狭い上面に多くの操作機能を集中しているので、これらの操作機能をコンパクトにまとめることが操作性を向上する場合に極めて重要である。
【０００９】
例えば、掃除機本体の上面には、棒状手元ハンドルを掃除機本体から取り外した際に掃除機本体を支持する本体ハンドルや、棒状手元ハンドルを掃除機本体に取り付ける吸引口連結部や、この吸引連結部の近傍に設けられる棒状手元ハンドルの着脱ボタンや、棒状手元ハンドルと掃除機本体を連結するホース連結部や、電源スイッチなどが配置される。
【００１０】
ここで、本体ハンドルは、掃除機本体を保持した場合のバランスを考慮すると、その設ける位置が重要である。また、吸引口連結部は掃除機本体の中心位置に設けなければならず、この吸引口連結部の近傍に設けられる着脱ボタンは操作する際に掃除機本体を押さえながら操作しなければならないことから、前記本体ハンドルの近傍で、かつ、掃除機本体の中心位置であることが望ましい。更に、ホース連結部は、掃除機本体を本体ハンドルで保持した際に掃除の邪魔にならない位置であり、かつ、前記他の操作機能の操作性を阻害する位置でないことが望ましい。しかも、電源スイッチも極力本体上面の中心位置近傍であることが望ましい。
【００１１】
一方、従来例では、棒状手元ハンドルを収縮するために、手元ハンドル内に、棒状を構成するパイプを収める構造としている。この際、手元ハンドルの手元（端部）に伸縮ボタンを備えているものがある。しかし、この従来例では、伸縮ボタンが手元ハンドルの握り部から離れた位置に設けられているため、伸縮ボタンを操作する場合は、両手で操作したり、一旦掃除を中止して操作しなければならない。
【００１２】
そこで、この発明の目的とするころは、縦長の掃除機本体の狭い上面に多くの操作機能をコンパクトにまとめて操作性を向上した縦型の掃除機を提供することにある。
【課題を解決するための手段】
【００１３】
前記目的を達成するために、本発明に係る電機掃除機は、電動送風機と集塵室及びコードリールを備えた縦長の掃除機本体と、一端に吸引口を備えた連結管と、前記連結管の他の一端側に取り付けられる手元ハンドルと、前記手元ハンドルと前記掃除機本体とを連通する柔軟性のある塵埃ホールとを備え、前記吸引口から前記連結管と前記手元ハンドルと塵埃ホースとを経由して前記掃除機本体に吸引する電気掃除機であって、集塵室の上部に回転軸を上下方向とする姿勢のコードリールを配置し、前記コードリールの上部に、前記連結管を縦姿勢で収納する前記連結管取付部と、握り部を前後方向とする本体ハンドル部とを前後に配置し、前記本体ハンドル部と連結管取付部との間に、前記連結管の固定機構部とその着脱ボタンを配置し、前記本体ハンドル部とコードリールとの間に前記連結管取付部と集塵室とを連通する連通管を配置し、前記着脱ボタンを挟んで電源ボタンと前記塵埃ホースのホース連結部とを左右に分けて配置させる。
【発明の効果】
【００１４】
本発明によれば、縦長の掃除機本体の狭い上面に多くの操作機能をコンパクトにまとめつつ操作性を向上することができる。
【発明を実施するための最良の形態】
【００１５】
以下、図１から図１０を参照して、この発明に係る縦型掃除機を詳細に説明する。図１はこの実施の形態に係る縦型掃除機の概略構成図である。図２は縦型掃除機の外観図であり、（ａ）図が平面図、（ｂ）図が連結管を取り外した状態の平面図、（ｂ）図が正面図、（ｃ）図が正面図、（ｄ）図が左側面図、（ｅ）図が連結管を縮めた状態の右側面図である。図３と図４は内部構造図であり、図３は掃除機本体の中央横断面図、図４の（ａ）図が内部配置を示す平面図、（ｂ）図が掃除機本体の上部の内部配置を示す斜視図、（ｃ）図が掃除機本体の上部の内部配置を示す正面図、（ｄ）図が掃除機本体の上部の内部配置を示す中央断面図である。図５は掃除機本体と連結管との固定機構を示す断面図である。図６は手元ハンドルの中央断面図である。図７は連結管の収縮動作を説明する手元ハンドルの断面図である。図８は他の実施の形態に係る結管の収縮動作を説明する手元ハンドルの断面図である。図９は手元ハンドル組品の伸縮動作説明図である。図１０、図１１は使用状態の説明図である。なお、同一の部位や方向などは同一符号を持って示し、重複した説明を省略する。
【００１６】
先ず、図１を参照して、この実施の形態に係る縦型掃除機の概略構造を説明する。符号１で総括的に示すのは縦型掃除機である。この縦型掃除機１は、電動送風機１１０と集塵室１２０とコードリール１３０を内蔵した縦長の掃除機本体１００と、この縦長の掃除機本体１００の長手方向の一端側（下部）に取り付けられる吸口体２００と、この掃除機本体１００の長手方向の他端側（上部）に着脱可能に取り付けられる手元ハンドル組品５０と、この手元ハンドル組品５０と前記掃除機本体とを連通させる柔軟性を備えた塵埃ホース７０とを含んで構成される。
【００１７】
前記吸口体２００は、自在連結部２１０を介して前記掃除機本体１００とＸ１方向に示す揺れる動きと、Ｘ２方向に示す回転の動きをとることができるとともに、前記集塵室１２０と連通され、床面で吸い取った塵埃を含む空気を掃除機本体１００に提供する。
【００１８】
前記手元ハンドル組品５０は、所定の長さを備えた連結管３００と、この連結管３００を伸縮可能に収納する手元ハンドル４００とを含んで構成される。前記連結管３００は、所定の長さを備えた第１連結管３０１と、この第１連結管３０１に伸縮可能に収納される第２連結管３０２とを含んで構成され、前記第１連結管３０１の一端が前記手元ハンドル４００に取り付けられる。また、前記手元ハンドル４００は、前記連結管３００の長手方向と所定の角度α１で徐々に立ち上がる握り部４０１を備えている。
【００１９】
前記掃除機本体１００は、その上面に前記連結管３００を取り付けるための連結管取付部１５１を備え、この連結管取付部１５１に前記第１連結管３０１の一端を取り付けることにより、前記手元ハンドル組品５０と掃除機本体１００を連結することができる。これにより、手元ハンドル４００と第１連結管３０１と掃除機本体１００が固定されるので、前記握り部４０１を保持して、この縦型掃除機１を操作して床面の清掃を行うことができる。
【００２０】
一方、前記連結管取付部１５１の近傍には、前記第１連結管３０１を固定する固定機構部５００のロック状態体を解除する着脱ボタン５０１が設けられている。この着脱ボタン５０１の操作で手元ハンドル組品５０を掃除機本体１００から取り外すことができる。この手元ハンドル組品５０は、掃除機本体１００と塵埃ホース７０で連通されているので、連結管３００の一端から塵埃を含んだ空気を取り込んで、手元ハンドル４００と塵埃ホース７０を経由して掃除機本体１００に取り込むことができる。この際、第１連通管３０１から第２連通管３０２を引き出して、その先端に隙間吸口３０３を取り付けることができる。そして、前記握り部４０１を保持して、前記隙間吸口３０３を所定の隙間に挿入するなどして床面以外の清掃をも行うことができる。
【００２１】
このように、この実施の形態に係る縦型掃除機１は、塵埃を含んだ空気を取り込むことができる機能と、縦型掃除機１を保持して操作できる機能を備えた手元ハンドル組品５０を掃除機本体１００に着脱可能に取り付けることにより、手元ハンドル組品５０を掃除機本体１００に装着した床面の清掃と、手元ハンドル組品５０を取り外した床面以外の清掃を手元ハンドル組品５０を着脱することで選択的に行うことができる。
【００２２】
そして、この実施の形態に係る縦型掃除機の大きな特徴の１つは、前記手元ハンドル４００の握り部４０１にスイッチ６００を設けて、このスイッチ６００を介して第１連結管３０１の伸縮の固定を解除可能とした点にある。即ち、この実施の形態に係る手元ハンドル組品５０は、その長手方向に沿って複数の長さ調整溝３０４（図６参照）が形成される前記連結管３００を採用し、手元ハンドル４００には、前記連結管３００を摺動可能に収納する連結管収納部４０２と、この連結管収納部４０２の長手方向と所定の角度で徐々に立ち上がる握り部４０１と、前記調整溝３０４と嵌合して前記連結管３００を所定の長さに固定するロック部６５０と、前記握り部４０１に設けられる前記固定を解除するスイッチ６００と、前記スイッチ６００の動作を前記ロック部６５０に伝達する伝達機構部６７０とを備えている。
【００２３】
これにより、前記握り部４０１を保持する手の指で前記スイッチ６００を操作することで、このスイッチ６００の動きが伝達機構部６７０を介してロック部６５０に伝達され、このロック部６５０と前記調整溝３０４との嵌合を解除することができる。
【００２４】
また、この実施の形態の他の大きな特徴の１つは、前記掃除機本体１００の上面の前部に前記連結管取付部１５１を設け、この後方に本体ハンドル部１４０を形成し、この本体ハンドル部１４０と前記連結管取付部１５１との間に固定機構部５００の着脱ボタン５０１を配置し、この着脱ボタン５０１を挟んで電源ボタン１７１と前記塵埃ホース７０のホース連結部１８０とを左右に分けて配置した点である。
【００２５】
つまり、この実施の形態に係る掃除機本体１００は、この掃除機本体１００の最下部に電動送風機１１０を配置し、この電動送風機１１０の上部に集塵室１２０を配置し、この集塵室１２０の上部に縦姿勢の前記連結管取付部１５１と回転軸１３１を上下方向とする横姿勢のコードリール１３０とを前後に配置した構造を備えている。そして、この実施の形態では、前記コードリール１３０の上部の内部空間を利用して、本体ハンドル部１４０と着脱ボタン５０１と電源ボタン１７１とホース連結部１８０を効率よくコンパクトに収めている。
【００２６】
この構造によれば、ホース連結部１８０に接続される塵埃ホース７０に邪魔されることなく本体ハンドル部１４０で掃除機本体１００を保持することができる。しかも、塵埃ホース７０に邪魔されることなく、手元ハンドル４００を握りながら着脱ボタン５０１と電源ボタン１７１を操作できる。更には、掃除機本体１００の上面をデッドスペースの少ないコンパクトな形態とすることができる。
【００２７】
以下、図２から図１１を参照して、この実施の形態に係る縦型電気掃除機を詳細に説明する。
【００２８】
先ず、図２を参照して、この縦型電気掃除機の外観構造を説明する。図２において、掃除機本体１００は、縦に長い丸みのある形状を備えており、（ｃ）図に示す正面図においては上下の端部が円弧状の縦長トラック形状を備え、（ｄ）（ｃ）図に示す側面形状においては下端部が円弧形状で、上端部には左右方向に貫通した貫通穴１４１を備えて形成される本体ハンドル１４０が設けられ、（ａ）（ｂ）図に示す平面図においては、前部が膨らんて後方に行くにしたがって先細りの形状を備えている。
【００２９】
この掃除機本体１００は、下端部は半球形状の丸みのある形状を備え、上端部は下端部と対照的に機能要素が集中して配置される。即ち、（ｂ）図に示す平面図から明らかなように、掃除機本体１００の上面の前部中央には連結管取付部１５１が配置され、その後方に後方に伸びる握り部１４２を備えた本体ハンドル部１４０が形成され、この握り部１４２と連結管取付部１５１との間に着脱ボタン５０１が設けられる。更に、前記着脱ボタン５０１の両側の丸みのある肩部分にはホース連結部１８０と電源ボタン１７１とが配置される。
【００３０】
一方、半球形状の掃除機本体１００の底面の後方には吸口体２００の自在連結部２１０が取り付けられている。前記吸口体２００は、前記自在連結部２１０と、吸口本体２２０と、一対の車輪２２１とを含んで構成される。吸口本体２２０は、左右方向に長く、左右方向の中央が後方に張り出した外観形状を備え、前記張り出し部分に一対の車輪２２１を備えている。前記自在連結部２１０は、塵埃を含んだ空気を流すことが可能な複数の図示しない連通部材が動作可能に連結されるものであり、この動きを利用して、掃除機本体１００と吸口本体２２０とを、図１で説明したように、Ｘ１方向に示す揺れる動きと、Ｘ２方向に示す回転の動きが可能なように連結する。
【００３１】
図２に示す状態は、床面に設置される吸口本体２２０に対して掃除機本体１００を立てた状態、つまり、収納状態を示している。この実施の形態では、前記自在連結部２１０にＸ１方向の回転を固定する図示しない固定機構を備えており、この立てた状態で、Ｘ１方向の動作を固定して、この収納状態を維持するようにしている。この収納状態によれば、狭い設置スペースに吸口体２００を脚部として縦型掃除機１を自立させて収納することができる。
【００３２】
また、掃除機本体１００の正面中央には、集塵室１２０に収納される集塵ケース１７２が着脱可能に取り付けられている。この集塵ケース１７２は、その前面に取っ手１７３を備え、この取っ手１７３を介して前方に引き出して、収集した塵埃を廃棄することができる。ここで、１７４は、取っ手１７３の上部に設けられる集塵ケース１７２の取外ボタンであり、この取外ボタン１７４を押しながら取っ手１７３を引くことで集塵ケース１７２を取り外すことができる。１７５は、掃除機本体１００の左側面中央に配置される排気口である。１７６は電源コード１３２の引出口、１７７は電源コード１３２の巻取ボタンである。そして、１７８は電動送風機の負荷を表示するインジケータである。
【００３３】
一方、前記連結管取付部１５１には手元ハンドル組品５０を構成する連結管３００が着脱可能に取り付けられる。この連結管３００は前記着脱ボタン５０１を介して前記連結管取付部１５１から取り外すことができる。
【００３４】
前記手元ハンドル組品５０は、手元ハンドル４００と、この手元ハンドル４００に一端を取り付けられる第１連結管３０１と、この第１連結管３０１の他の一端と連結される前記第２連結管３０２（図１参照）を含んで構成する。これら３つの部材は、いずれも塵埃を含んだ空気を流すための通路をその内部に備えて、互いに連結されている。この実施の形態では、前記手元ハンドル４００に第１連結管３０１が収納可能であり、また、第１連結管３０１に第２連結管３０２が収納可能である。そして、前記第１連結管３０１の他の一端が前記連結管取付部１５１に取り付けられる。
【００３５】
一方、前記手元ハンドル４００は、前記連結管３００の軸心から所定角度α１で徐々に立ち上がった握り部４０１を備えている。即ち、（ｄ）（ｅ）図に示すように、手元ハンドル４００は、この手元ハンドル４００の一端から、上方に行くにしたがって徐々に前方に張り出すことで、前記連結管３００の軸心に対して所定角度α１だけ傾斜した握り部４０１を備えている。この握り部４０１の上端は大きな丸みを持って手元ハンドル４００の他端に連結することでアーチ状のハンドルを形成する。これにより、手元ハンドル４００を多様な角度で保持することができるので、この手元ハンドル組品５０を掃除機本体１００に取り付けて行う床面の清掃や、この手元ハンドル組品５０を掃除機本体１００から取り外した床面以外の清掃での取扱性を向上することができる。
【００３６】
また、前記手元ハンドル４００の上端には、塵埃ホース７０の一端が連結管３００（手元ハンドル）の長手方向に対して所定角度α２だけ屈折して取りつけられる。この取付部はホースの軸心に対して回転可能とすることもできる。ここで、塵埃ホース７０の他端は前記ホース連結部１８０に取り付けられるので、連結管３００の一端から吸い込んだ塵埃を含んだ空気を手元ハンドル４００と塵埃ホース７０を介して掃除機本体１００に取り込むことができる。
【００３７】
また、前記手元ハンドル４００の握り部４０１には、連結管３００の長さを調整できるスイッチ６００が設けられており、握り部４０１を片手で保持しながら、この保持する片手の操作でスイッチ６００を操作して手元ハンドル組品５０の長さを調整することができる。
【００３８】
次に、図３と図４を参照して、掃除機本体１００の内部機構を説明する。先ず、図３において、この実施の形態では、掃除機本体１００は、掃除機としての主要な装置である電動送風機１１０と集塵室１２０とコードリール１３０とを直列に配置することにより、前記縦長の掃除機本体１００を実現している。即ち、この実施の形態では、最下部に配置した電動送風機１１０と、この上部に配置したコードリール１３０との間に集塵室１２０を配置している。また、最下部に最も重量のある電動送風機１１０を配置することにより、前記半球形状の下端部の造形を実現するとともに、低重心の掃除機本体１００を実現している。これにより、手元ハンドル組品５０を掃除機本体１００に取り付けた清掃作業を良好に行うことができる。
【００３９】
また、集塵室１２０を高い位置に配置することができるので、ごみ捨てが容易と成る。更に、コードリール１３０を高い位置に配置すると、掃除機本体１００の重心位置が高くなることが懸念されるが、通常の使用状態では、電源コード１３２を引き出して使用することとなるので、この懸念は問題に成らない。むしろ、掃除機本体１００に対して電源コード１３２を高い位置に取り付けることができるので、電源コード１３２の引き回しが容易となる。
【００４０】
この実施の形態では、前記電動送風機１１０と集塵室１２０とコードリール１３０の後方に上下（長手方向）に通った連通管１８１を配置している。この連通管１８１の下端部には前記吸口体２００の自在連結部２１０が取り付けられる吸口体接続部１８２が設けられ、この連通管１８１の上端部はホース連結部１８０と連通されている。そして、この連通管１８１の中央部分は集塵取入通路１８３を介して前記集塵室１２０と連通されている。
【００４１】
したがって、この連通管１８１を備えることにより、手元ハンドル組品５０から吸い込んだ塵埃を含む空気を連通管１８１の上端から取り込むことができるし、また、吸口体２００から取り込んだ塵埃を含んだ空気は連通管１８１の下端から取り込んで集塵室１２０に取り込むことができる。
【００４２】
ここで、集塵室１２０に取り込まれた塵埃を含んだ空気は、この集塵室１２０内に設けた１次フイルタ１２１で大きな塵埃を取り除いて、更に２次フイルタ１２２で細かな塵埃を取り除いて、電動送風機１１０に取り込まれる。前記１次フイルタ１２１と２次フイルタ１２２は集塵ケース１７２に組み込まれており、この集塵ケース１７２を掃除機本体１００から取り外して、これらフイルタに付着した塵埃を廃棄することができる。
【００４３】
また、この実施の形態では、コードリール１３０の回転軸１３１が掃除機本体１００の長手方向と一致する横姿勢で配置される。これにより、前記長手方向（上下方向）におけるコードリール１３０の長さ（高さ方向）を短く（低く）することができるので、この短縮された内部スペースを利用して、掃除機本体１００の上部に配置される主要な構成要素である連結管取付部１５１とホース連結部１８０と電源ボタン１７１（図２参照）と本体ハンドル１４０及び着脱ボタン５０１を含む固定機構部５００を使いやすい位置にコンパクトに配置することができる。この構造を図４を参照して更に説明する。
【００４４】
図４において、この実施の形態では、集塵室１２０の上部に、縦姿勢の連結管取付部１５１と、横姿勢のコードリール１３０とを前後配置する。前記連結管取付部１５１は、手元ハンドル組品５０の接続管３００と強固に連結する必要がある。この実施の形態では、接続管３００と連結する連結管取付部１５１を筒状の長さのある形状とし、この筒状の長手方向が前記掃除機本体１００の長手方向と一致する縦姿勢で集塵室１２０の上部の前方に配置する。
【００４５】
そして、縦姿勢の連結管取付部１５１の後部に横姿勢のコードリール１３０を配置し、このコードリール１３０を横姿勢に配置することによって形成されるコードリール１３０の上部に本体ハンドル部１４０を形成している。つまり、縦姿勢の連結管取付部１５１の後部に本体ハンドル部１４０と横姿勢のコードリール１３０を上下に配置している。
【００４６】
更に、（ａ）（ｂ）図に示すように、この実施の形態では、連結管取付部１５１と本体ハンドル部１４０との間に、連結管取付部１５１と接続管３００とを連結する固定機構部５００と、その着脱ボタン５０１を配置し、この着脱ボタン５０１の両側にホース連結部１８０と電源ボタン１７１を分けて配置している。加えて、前記本体ハンドル部１４０とコードリール１３０との間の空間を利用して連結管取付部１５１と連通管１８１とを連通する接続管１８４を配置している。
【００４７】
この掃除機本体１００の上部内部構造によれば、連結管取付部１５１と着脱ボタン５０１と後方に伸びる握り部１４２とが前後方向に並んで配置され、しかも、連結管取付部１５１の後方に着脱ボタン５０とホース連結部１８０及び電源ボタン１７１とが横一列に配置される「十字状」の配置構成とすることができる。更には、接続管１８３の配管も容易に行うことができる。この十字状の配列は丸みのある上面形状を備えた筺体内に実装効率よくコンパクトに収めることができる。しかも、後で述べるように使い勝手も向上することができる。
【００４８】
次に、図５を参照して、手元ハンドル組品５０と掃除機本体１００との着脱機構を説明する。この実施の形態では、第1連結管３０１の一端と連結管取付部１５１とを着脱可能に取り付けることで、手元ハンドル組品５０と掃除機本体１００とを連結する。前記第1連結管３０１の一端には、その周側面に嵌合穴３０５が形成され、この嵌合穴３０５に固定機構部５００の嵌合棒５０２の先端部が嵌合することで、前記第1連結管３０１と連結管取付部１５１が固定される。
【００４９】
前記第1連結管３０１は方向性を持った断面形状を備え、前記連結管取付部１５１は前記方向性のある断面形状を備えた前記第1連結管３０１を内包できる相似形の内部断面形状を備えている。更に、連結管取付部１５１は前記第1連結管３０１を所定の位置まで挿入可能に形成されている。このため、図２に示すように、前記手元ハンドル４００の握り部４０１が、前記接続管３００の前方と成る所定の姿勢でのみ前記第１接続管３０１の先端部を前記連結管取付部１５１に挿入することができる。しかも、前記第１接続管３０１の先端部は前記連結管取付部１５１の所定の長さ分しか挿入できない。このため、前記嵌合穴３０５と嵌合棒５０２との位置が特定され、嵌合状態をとることができる。
【００５０】
前記固定機構部５００は、筒状の前記連結管取付部１５１の内壁面に出没可能に設けられる前記嵌合棒５０２と、この嵌合棒５０２を出没（摺動）させる案内部５０３と、この案内部５０３に取り付けられる第１バネ５０４と、押し棒５０６を備えた前記着脱ボタン５０１と、着脱ボタン５０１に設けられる第２バネ５０５とを含んで構成される。
【００５１】
前記第１バネ５０４は、前記嵌合棒５０２をその先端を常に連結管取付部１５１の内壁面から飛び出すように作用する。このため、前記連結管取付部１５１の所定の位置に挿入された第１連結管３０１は、図５の（ａ）図に示すように、常に固定された状態を維持するようになっている。
【００５２】
前記嵌合棒５０２は、その上部に斜めに傾斜する摺動面５０７を備えた連結穴部５０８が形成される。この連結穴部５０８には、前記押し棒５０６の一端が前記摺動面５０７の上端部に位置するように図示しない固定手段で保持される。前記摺動面５０７は、前記押し棒５０６の一端がその長手方向に沿って下降すると摺動面５０７を備えた嵌合棒５０２が嵌合棒５０２と嵌合穴３０５の嵌合が外れる方向に移動する（（ｂ）図の状態）。
【００５３】
また、前記押し棒５０６の他端（上端）は前記着脱ボタン５０１に取り付けられている。そして、この着脱ボタン５０１は、第２バネ５０５により、常に、上方に飛び出すように保持される。
【００５４】
以上の構造を備えた固定機構部５００は、（ａ）図に示すように第１連結管３０１が連結管取付部１５１の所定の位置に固定された状態を維持し、この状態から、着脱ボタン５０１を下方に押す動作で、押し棒５０６を介して、摺動面５０７を備えた嵌合棒５０２が前記固定状態を解除する方向に移動する（（ｂ）図の状態）。この（ｂ）図の状態であれば、（ｃ）図に示すように連結管３００を連結管取付部１５１から引き抜くことができる。
【００５５】
次に、図６から図９を参照して、手元ハンドル組品５０に設けられる接続管３００の伸縮機構を説明する。
【００５６】
先ず、図６において、前記手元ハンドル４００は、略直線状を成す筒状の手元ハンドル本体４１０と、この手元ハンドル本体４１０の一端から徐々に立ち上がって、手元ハンドル本体４１０の他端に終端するアーチ状の握り部４０１とを含んで構成される。前記握り部４０１は、手元ハンドル本体４１０の長手方向に対して所定の角度α１（３０度前後）で立ち上がって形成される。手元ハンドル本体４１０と握り部４０１とは樹脂材料などで一体的に形成される。
【００５７】
前記手元ハンドル本体４１０は、その内部に塵埃の通風路ともなる筒状の連結管収納部４０２が形成され、この連結管収納部４０２の内部に第1連結管３０１が空気漏れの無いように摺動可能に取り付けられる。第１連結管３０１は、その長手方向に沿って複数の長さ調整溝３０４が等間隔に形成されており、この調整溝３０４が手元ハンドル本体４１０の端部に設けられる前記ロック部６５０に固定されることで、連結管収納部４０２に対して所定の長さで保持される。
【００５８】
前記ロック部６５０は、連結管収納部４０２の長手方向に対して直交する方向（矢印Ｘ３、Ｘ４）に移動するロック部材６５１と、このロック部材６５１を常に一方向（矢印Ｘ３）、即ち、固定状態となる方向に作用する図示しないバネとを含んで構成される。前記ロック部材６５１は、連結管収納部４０２の長手方向から見て、「ロ字状」または「コ字状」等の中央部分が開口した枠体であり、この中央部分に前記接続管３００が配置される。
【００５９】
この実施の形態では、図２（ｃ）図に示す正面方向から見た場合、前記調整溝３０４が見えないように、接続管３００の背面側に前記調整溝３０４を設けている。一方、接続管３００の伸縮を操作する前記スイッチ６００は、前記調整溝３０４が設けられている背面側と対向する正面側に設けられている。このため、接続管３００を挟んで対向した位置にある前記調整溝３０４と前記スイッチ６００とを連結するために、中央部分が開口した前記ロック部材６５１を採用している。
【００６０】
このロック部材６５１の一端側６５１ａは前記調整溝３０４と勘合する構造を備え、他の一端側６５１ｂは、前記伝達機構部６７０を構成する押し部材６７１を介して接続管収納部４０２の長手方向から押され得る構造を備えている。このロック部材６５１は、前記押し部材６７１から押される動作によりＸ４方向に移動する。
【００６１】
ここで、押し部材６７１の先端部は傾斜面を備えたクサビ形状となっており、押し部材６７１がＸ７方向に移動することにより、ロック部材６５１の一端側６５３ｂが前記傾斜面に押されてＸ４方向に移動する。
【００６２】
また、前記アーチ状の握り部４０１の内側には、前記ロック部６５０を操作するための前記スイッチ６００が配置される。この実施の形態では、握り部４０１を握る手の人差し指で前記スイッチ６００を操作することを想定している。このため、前記握り部４０１を握った手の人差し指で前記スイッチ６００を引く動作、つまり、矢印Ｘ６の方向に前記スイッチ６００を移動させることで前記ロック部６５０の固定状態を解除するように、このスイッチ６００の動作を前記伝達機構部６７０を介して前記ロック部６５０に伝達する。
【００６３】
前記伝達機構部６７０は、前記ロック部６５０のロック部材６５１に接触している前記押し部材６７１と、この押し部材６７１にその一端を取り付けられる第１連結棒６７２と、この第１の連結棒６７２の他端に取り付けられる伝達板６７３と、この伝達板６７３にその一端を取り付けられる第２の連結棒６７４と、前記伝達板６７３に設けられる図示しないバネとから構成され、前記第２の連結棒６７４の他端は前記スイッチ６００に取り付けられる。
【００６４】
前記伝達板６７３は、縦長のトラック形状の板材であり、その中央部分を手元ハンドル本体４１０の取付リブ４１１に回転可能に取り付けられ、その長手方向の一端を前記第１連結棒６７２と、他の一端を前記第２連結棒６７４の一端に取り付けられる。
【００６５】
この前記伝達板６７３の機能の１つは、スイッチ６００の引く力（矢印Ｘ６）を反転させて押す力（矢印Ｘ７）に変換させるものである。また、この前記伝達板６７３の他の機能の１つは、スイッチ６００の引く力（矢印Ｘ６）をスムーズにロック部６５０に伝達することにある。つまり、この実施の形態では、スイッチ６００を、手元ハンドル本体４１０の長手方向に対して所定の角度α１（３０度前後）で立ち上がって形成される前記握り部４０１に設けている。したがって、スイッチ６００の引く力（矢印Ｘ６）は、手元ハンドル本体４１０の長手方向に対して所定の角度α１となり、ロック部材６５１を動作する矢印Ｘ３、Ｘ４の力、即ち、連結管収納部４０２（手元ハンドル本体４１０）の長手方向に対して直交する方向と異なることになり、効率よい、あるいはスムーズな動作の伝達が困難である。
【００６６】
そこで、この実施の形態では、伝達機構部６７０の中間部に伝達板６７３を設けて、作用する力の方向をＸ６方向からＸ７方向に変更するようにしている。具体的には、伝達機構部６７０の回転軸６５３を、手元ハンドル本体４１０の長手方向を垂直にした状態で、左右に伸びる水平な位置となるようにしている。そして、第１連結棒６７２を手元ハンドル本体４１０の長手方向と平行な姿勢で配置し、この一端に伝達板６７３の一端が連結されるように、伝達板６７３を取付リブ４１１に取り付けるようにする。このような構造を備えることにより、この手元ハンドル本体４１０の一端から徐々に立ち上がって形成されるアーチ状の握り部４０１の内部に伝達機構部６７０を収めることができる。
【００６７】
次に、前記接続管３００の伸縮機構を図７、８を参照して更に説明する。図７において、（ａ）図は第１連結管３０１がロック部６５０を介して固定された状態を示している。この実施の形態では、伝達板６７３に設けた図示しないバネにより、（ａ）図に示す固定状態を維持している。この（ａ）図の様態から、スイッチ６００をＸ６方向に引く動作を行うと、この動作は斜めに伸びる第２の連結棒６７４を介して伝達板６７３をＸ８方向に回転させる。伝達板６７３のＸ８方向の回転動作は伝達板６７３の他端に取り付けられる第１連結棒６７２を押す力（矢印Ｘ７）に変換される。この押す力（矢印Ｘ７）は押し部材６７１をＸ７方向にスライド移動させる。押し部材６７１の先端部は傾斜面になっており、ロック部材６５１が押し部材６７１を介してＸ７方向に押されることによって、ロック部材６５１の他の一端側６５１ｂが傾斜面を移動し、これによりロック部材６５１がＸ４方向に移動する。ロック部材６５１がＸ４方向に移動すると、ロック部材６５１の他の一端側６５３ａと調整溝３０４との嵌合が外れ、第１連結管３０１を連結管収納部４０２の長手方向に摺動させることができる（ｂ）図の状態となる。
【００６８】
この実施の形態では、第１連結管３０１と連結管収納部４０２との摺動を空気漏れが無い程度に嵌め合いを調整している。このため、（ｂ）図のように、手元ハンドル４００の長手方向を上下方向にすると、前記第１連結管３０１を含む連結管３００は、掃除機本体１００がその自重で床上にとどまるのに対して、上方に容易に伸ばすことができる。したがって、利用者はスイッチ６００を操作して手元ハンドルを引き上げることにより、連結管３００を容易に伸ばすことができるので、片手操作が可能と成る。
【００６９】
また、図７の実施の形態では、スイッチ６００を握り部４０１の内側に配置した例で説明したが、これに限定されるものではない。例えば、図８に示すように、握り部４０１の外側に同種のスイッチ６０１を設けるようにしても良い。この場合は、握り部４０１を保持する親指でスイッチ６０１を操作することとなる。
【００７０】
親指で操作する場合は、押す操作が自然である。そこで、この実施の形態では、例えば、スイッチ６０１の中央が握り部４０１の内部で回転可能に支持され、このスイッチ６０１の内側の一端に前記第２連結棒６７４の一端を取り付け、外側の他端を親指でＸ９方向に押すような構造としている。
【００７１】
つまり、（ａ）図の状態は、第１連結管３０１がロック部６５０を介して固定された状態を示している。この実施の形態でも、伝達板６７３に設けた図示しないバネにより、（ａ）図に示す固定状態を維持している。この（ａ）図の様態から、スイッチ６０１の外側をＸ６方向に押す動作を行うと、この動作はスイッチ６０１をＸ１０方向に回転させる。すると、この回転する力は、スイッチ６０１の内側の一端に取り付けられる第２の連結棒６７４を引く力となり、伝達板６７３をＸ８方向に回転させる。以下、図７の実施の形態と同様な動きと成る。
【００７２】
また、図６に戻り、この実施の形態では、握り部４０１の外側に、電源ボタン１７１ａを設けるようにしても良い。これにより、握り部４０１を支持する手の人差し指で前記スイッチ６００を操作して連結管３００の伸縮動作を行うこともできるし、支持する手の親指で縦型掃除機１の電源のＯＮ、ＯＦを行うことができる。
【００７３】
また、この実施の形態では、連結管収納部４０２に収納される第１連結管３０１の端部に、この第１連結管３０１の脱落を防止する図示しない突起部を備えている。
【００７４】
次に、図９に示すように、この実施の形態では、連結管３００を第１連結管３０１と第２連結管３０２とで構成している。ここで、前記第１連結管３０１は前記スイッチ６００の操作で、その伸縮を自動的に行うことができるが、第２連結管３０２は公知の構造の第２ロック部６９０を介して伸縮させることができる。第２連結管３０２は前記第１連結管３０１の内部に収納することができる。第２ロック部６９０は前記第１連結管３０１の先端部に設けてあり、この第２ロック部６９０の操作により、第２連結管３０２を第１連結管３０１から引き出して所定の位置で固定することができる。
【００７５】
また、前記第２連結管３０２の先端部には、隙間吸口２３０を着脱可能に取り付けることができる。そして、図３に示すように、この実施の形態では、隙間吸口２３０をつけた状態で前記連結管取付部１５１に装着できるので、手元ハンドル組品５０を取り外せばすぐに隙間などの清掃を行うことができる。
【００７６】
また、図９の（ａ）図は連結管３００を引き伸ばした状態であり、（ｂ）図は連結管３００を縮めた状態である。この実施の形態では、（ｂ）図の状態では、連結管３００の殆どが手元ハンドル４００内に収まるように第１連結管３０１と第２連結管３０２の長さを設定している。
【００７７】
また、前記手元ハンドル４００の上端には、塵埃ホース７０の一端が連結管３００（手元ハンドル）の長手方向に対して屈折して取り付けられる。このため、掃除中に塵埃ホース７０が邪魔になることが軽減される。さらに、この取付部をホースの軸心に対して回転可能とすれば、塵埃ホース７０のねじれも軽減される。
【００７８】
次に、図１及び図１０、図１１を参照して、この実施の形態に係る使用形態を説明する。図１の状態は、収納状態と手元ハンドル組品５０での隙間掃除の状態を示している。先ず、図１に示すように、この実施の形態では、吸口体２００の自在連結部２１０を立てることによって、掃除機本体１００をその長手方向が垂直となる姿勢で設置することができる。この状態で手元ハンドル組品５０を掃除機本体１００に取り付けておけば、狭い設置スペースにコンパクトに収納することができる。また、設置スペースの高さが取れない場合は、前記スイッチ６００を操作して連結管３００を縮めることで、全体の高さを低く抑えることができて多様な収納スペースに収納可能である。
【００７９】
また、この実施の形態では、吸口体２００の自在連結部２１０を立てた状態では、自在連結部２１０と吸口体２００との連通が遮断されて、塵埃を含んだ空気を吸口体２００から吸引できない構造としている。このため、吸口体２００の自在連結部２１０を立てた状態で電源ボタン１７１をＯＮ状態にすると手元ハンドル組品５０からの吸引しかできない構造としている。したがって、手元ハンドル組品５０を掃除機本体１００から取り外して、隙間掃除を行う場合は、この隙間に吸引力が集中するので効率的な掃除が可能である。
【００８０】
また、手元ハンドル組品５０を掃除機本体１００から取り外す場合は連結管取付部１５１と着脱ボタン５０１と本体ハンドル部１４０の握り部１４２が直線状に配列しているので、着脱作業が容易と成る。即ち、図１１に示すように、棒状の握り部１４２を片手（左手）で保持した場合、この保持する片手の親指で着脱ボタン５０１を操作することができる。そして、他の手（右手）で手元ハンドル組品５０を保持して連結管３００を連結管取付部１５１から引き抜くことができるので、無理のない安定した操作姿勢で手元ハンドル組品５０の取り外しが可能である。
【００８１】
また、この実施の形態では、握り部１４２を保持する片手の親指で電源ボタン１７１を操作することができるので、片手で掃除機本体１００を持ちながら、他の片手で手元ハンドル４００の握り部４０１を持って図１に示す隙間掃除が可能となる。しかも、掃除機本体１００を持つ手で電源のＯＮ、ＯＦＦも可能であり、また、手元ハンドル４００を持つ手で連結管３００の伸縮操作も可能なため、電源のＯＮ、ＯＦＦ時や、連結管３００の伸縮操作のために、掃除を中断せずに連続した掃除が可能である。
【００８２】
また、この実施の形態では、着脱ボタン５０１を挟んで、その両側に電源ボタン１７１とホース連結部１８０を配置しているために、図１１で説明したように、着脱ボタン５０１と電源ボタン１７１の操作時に、ホース連結部１８０に接続される塵埃ホース７０が邪魔に成ることが軽減される。
【００８３】
更に、ホース連結部１８０に接続される塵埃ホース７０は、掃除機本体１００の上面の片寄った位置に垂直に取り付けられるため、収納状態では、たるんだ塵埃ホース７０が邪魔に成ることが少なくなる。更に、本体ハンドル部１４０を介して片手で掃除機本体１００を保持した場合、塵埃ホース７０が使用者の側面に沿う姿勢となるので、携帯性を向上することができる。
【００８４】
また、図１の収納状態から、図１０に示すように、掃除機本体１００を後方に倒せば吸口体２００の固定状態が解除され吸口体２００からの塵埃を含んだ空気を取り込むことができる。この際、手元ハンドル組品５０は掃除機本体１００に取り付けることとなるため、連結管３００の先端は連結管取付部１５１に取り付けられて密閉されるため、吸口体２００からの塵埃を含んだ空気を取り込むことができる。もちろん、この状態から手元ハンドル組品５０を掃除機本体１００から取り外せば、吸口体２００と手元ハンドル組品５０の両方から塵埃を含んだ空気を取り込むことができる。
【００８５】
また、図９の吸口体２００での掃除姿勢では、例えば、手元ハンドル４００の握り部４０１を片手で保持し、他の手で電源コード１３２を持ちながらの片手操作で縦型掃除機１を操って床掃除が可能である。ここで、前記吸口体２００は自在連結部２１０を介してＸ１方向とＸ２方向の回転動作が可能であり、また、前記吸口体２００には車輪２２１を備えているので、握り部４０１を持った片手での前後動作による縦型掃除機１００の直線運動や、握り部４０１を持った片手での左右方向への傾け動作による縦型掃除機１００の方向変換が容易となる。
【００８６】
この際、連結管取付部１５１を上面前部に配置し、かつ手元ハンドル４００の握り部４０１を所定角度立ち上げて形成しているので、この握り部４０１と車輪２２１とを結ぶ軸線Ｑに対して掃除機本体１００の重心位置を近い位置におくことができる。即ち、手元ハンドル４００の握り部４０１を片手で保持して縦型掃除機１の運動を操作する場合、前記軸線Ｑの位置に掃除機本体１００の重心Ｐが近ければ近いほどＸ２方向へのねじリ操作が容易と成る。この実施の形態では前記構成を備えることで、従来品に比べてねじリ操作を容易に行うことができる。
【００８７】
更にまた、最も重量のある電動送風機１１０を掃除機本体１００の最下部に設けたので、掃除機本体１００の重心位置Ｐを低く抑えて、手元ハンドル４００の握り部４０１を保持する負荷を軽減することができる。
【００８８】
そして、この実施の形態の最大の特徴は、前記スイッチ６００を操作することにより、連結管３００の長さを任意に調整して手元ハンドル４００の握り部４０１の位置を使用者の体系に合った、あるいは希望の長さにいつでも調整することできる点である。例えば、前記スイッチ６００を操作しながら握り部４０１を押せば連結管３００を短くできるし、逆に前記スイッチ６００を操作しながら握り部４０１を引けば連結管３００を長くすることが片手操作で簡単に行うことができる。
【００８９】
なお、前記実施の形態では、手元ハンドル４００の握り部４０１をアーチ状に形成することで強度面を強固にさせているが、握り部４０１の後部と手元ハンドル本体４１０の後端部を連結することなく開放し形成しても良い。
【００９０】
このように、この実施の形態に係る電気掃除機は、電動送風機と集塵室を備えた縦長の掃除機本体と、一端に吸引口を備えた連結管と、前記連結管の他の一端側に取り付けられる手元ハンドルと、前記手元ハンドルと前記掃除機本体とを連通する柔軟性のある塵埃ホールとを備え、前記吸引口から前記連結管と前記手元ハンドルと塵埃ホースとを経由して前記掃除機本体に吸引する電気掃除機であって、前記連結管は、その長手方向に沿って、複数の長さ調整溝が形成され、前記手元ハンドルは、前記連結管を摺動可能に収納する連結管収納部と、前記手元ハンドルを把持する握り部と、前記調整溝と嵌合して前記連結管を所定の長さに固定するロック部と、前記握り部に設けられる前記固定を解除するスイッチと、前記スイッチの動作を前記ロック部に伝達する伝達機構とを備え、前記スイッチの操作にともなって、前記連結管を前記連結管収納部の所定の位置に固定する。
【００９１】
この場合、前記握り部は、前記連結管収納部の長手方向と所定の角度で徐々に立ち上がって形成され、前記伝達機構は、一端を前記ロック部に連結する第１連結棒と、一端を前記スイッチに連結する第２連結棒と、前記第１連結棒と前記第２連結棒とを、前記握り部の所定の角度に合わせて、屈折して動作を連結する中間連結部材とを備えるようにする。
【００９２】
また、この実施の形態に係る電気掃除機は、電動送風機と集塵室及びコードリールを備えた縦長の掃除機本体と、一端に吸引口を備えた連結管と、前記連結管の他の一端側に取り付けられる手元ハンドルと、前記手元ハンドルと前記掃除機本体とを連通する柔軟性のある塵埃ホールとを備え、前記吸引口から前記連結管と前記手元ハンドルと塵埃ホースとを経由して前記掃除機本体に吸引する電気掃除機であって、集塵室の上部に回転軸を上下方向とする姿勢のコードリールを配置し、前記コードリールの上部に、前記連結管を縦姿勢で収納する前記連結管取付部と、握り部を前後方向とする本体ハンドル部とを前後に配置し、前記本体ハンドル部と連結管取付部との間に、前記連結管の固定機構部とその着脱ボタンを配置し、前記本体ハンドル部とコードリールとの間に前記連結管取付部と集塵室とを連通する連通管を配置し、前記着脱ボタンを挟んで電源ボタンと前記塵埃ホースのホース連結部とを左右に分けて配置する。
【００９３】
また、この実施の形態に係る電気掃除機は、電動送風機と電源コードのコードリールと集塵室とを備えた縦長の掃除機本体と、この掃除機本体の下部に取り付けられる吸口体と、その一端を前記掃除機本体の上部に着脱可能に取り付けられる連結管と、前記連結管の他の一端側に取り付けられる手元ハンドルと、前記手元ハンドルと前記掃除機本体とを連通する柔軟性のある塵埃ホールとを備え、前記吸口体からの塵埃を含んだ空気の吸引と、前記連結管の前記一端から前記手元ハンドル及び塵埃ホースを経由した塵埃を含んだ空気の吸引とを可能とする電気掃除機であって、前記掃除機本体は、最下部に配置した前記電動送風機と上部に配置した前記コ−ドリールとの間に前記集塵室を配置するとともに、この電動送風機と集塵室とコ−ドリールの後方に上下方向に配設された連通管を備え、前記連通管は、その下端を前記吸口体と、その上端を前記連結管を着脱可能に収納する連結管取付部と、その中央部分を前記集塵室とそれぞれ接続され、前記コードリールは、回転軸を上下方向とする横姿勢で配置され、前記コードリールの上部には、前記連結管を縦姿勢で収納する前記連結管取付部と、握り部を前後方向とする本体ハンドル部とが前後に配置され、更に、前記本体ハンドル部と連結管取付部との間には、前記連結管の固定機構部とその着脱ボタンを配置され、更に、前記本体ハンドル部とコードリールとの間に前記連結管取付部と連通管とを連通する上部連通管を配置し、更に、前記着脱ボタンを挟んで電源ボタンと前記塵埃ホースのホース連結部とを左右に分けて配置する。
【００９４】
この場合、前記ホース連結部は、前記塵埃ホースの軸心を上下方向とする姿勢で、前記塵埃ホースを取り付けるようにする。
【図面の簡単な説明】
【００９５】
【図１】この実施の形態に係る縦型掃除機の概略構成図である。
【図２】縦型掃除機の外観図である。
【図３】掃除機本体の中央横断面図ある。
【図４】掃除機本体の内部配置図である。
【図５】掃除機本体と連結管との固定機構を示す断面図である。
【図６】手元ハンドルの中央断面図である。
【図７】連結管の収縮動作を説明する手元ハンドルの断面図である。
【図８】他の実施の形態に係る結管の収縮動作を説明する手元ハンドルの断面図である。
【図９】手元ハンドル組品の伸縮動作説明図である。
【図１０】使用状態の説明図である。
【図１１】使用状態の説明図である。
【符号の説明】
【００９６】
１…縦型掃除機、５０…手元ハンドル組品、７０…塵埃ホース、１００…掃除機本体、１１０…電動送風機、１２０…集塵室、１２１…１次フイルタ、１２２…２次フイルタ、１３０…コードリール、１３１…回転軸、１３２…電源コード、１４０…本体ハンドル部、１４１…貫通穴、１４２…握り部、１５１…連結管取付部、１７１…電源ボタン、１７１ａ…電源ボタン、１７２…集塵ケース、１７３…取っ手、１７４…取外ボタン、１７５…排気口、１８０…ホース連結部、１８１…連通管、１８２…吸口体接続部、１８３…集塵取入通路、１８４…接続管、２００…吸口体、２１０…自在連結部、２２０…吸口本体、２２１…車輪、２３０…隙間吸口、３００…連結管、３０１…第１連結管、３０２…第２連結管、３０３…隙間吸口、３０４…調整溝、３０５…嵌合穴、４００…手元ハンドル、４０１…握り部、４０２…連結管収納部、４１０…手元ハンドル本体、４１１…取付リブ、５００…固定機構部、５０１…着脱ボタン、５０２…嵌合棒、５０３…案内部、５０４…第１バネ、５０５…第２バネ、５０６…押し棒、５０７…摺動面、５０８…連結穴部、６００…スイッチ、６５０…ロック部、６５１…ロック部材、６５１ａ…一端側、６５１ｂ…他の一端側、６５２…第３バネ、６５３…回転軸、６７０…伝達機構部、６７１…押し部材、６７２…第１連結棒、６７３…伝達板、６７４…第２の連結棒、６９０…第２ロック部。
【図１】
2008080043.tif 000003
【図２】
2008080043.tif 000004
【図３】
2008080043.tif 000005
【図４】
2008080043.tif 000006
【図５】
2008080043.tif 000007
【図６】
2008080043.tif 000008
【図７】
2008080043.tif 000009
【図８】
2008080043.tif 000010
【図９】
2008080043.tif 000011
【図１０】
2008080043.tif 000012
【図１１】
2008080043.tif 000013